(57)【特許請求の範囲】
【請求項１】
車体を弾性支持するコイルスプリングを円弧状に形成されるラバーシートを介して支持するスプリングガイドであって、
前記スプリングガイドは、
窪むように形成され前記ラバーシートが嵌合する取付部と、
前記取付部の外周に起立するように形成された複数の係止片と、を備え、
前記取付部は、前記ラバーシートが嵌合する円弧溝を有し、
前記係止片は、前記円弧溝の側壁の底面からの高さよりも高くなるように形成されるとともに、前記取付部に前記ラバーシートが嵌合した状態で、前記ラバーシートの径方向外側への変形を規制する位置に設けられることを特徴とするスプリングガイド。
【請求項２】
前記円弧溝は、周方向の中央部に向かって深さが深くなるように形成され、
複数の前記係止片の少なくとも一つは、前記円弧溝の外周側であって溝の深さが浅くなる位置に形成されることを特徴とする請求項１に記載のスプリングガイド。
【請求項３】
前記円弧溝は、周方向の中央部に向かって深さが深くなるように形成され、
複数の前記係止片の少なくとも一つは、前記取付部に前記ラバーシートが嵌合した状態で、前記円弧溝の最も深くなる位置に設けられることを特徴とする請求項１または２に記載のスプリングガイド。
【請求項４】
請求項１から３のいずれか一項に記載のスプリングガイドと、
車体と車輪との間に設けられ、外周面に前記スプリングガイドが取り付けられるショックアブソーバと、
前記ショックアブソーバのロッドの先端に取り付けられるアッパーマウントと、
前記スプリングガイドと前記アッパーマウントとの間に設けられる前記コイルスプリングと、
前記スプリングガイドと前記コイルスプリングとの間に設けられる円弧状の前記ラバーシートと、
を備えることを特徴とするサスペンション装置。
【請求項５】
前記ラバーシートは、
前記取付部に嵌合され、前記コイルスプリングを支持する本体部と、
前記本体部の外周に形成され複数の前記係止片の少なくとも一つを覆ってかつ当該係止片と係合する覆い部と、を備えることを特徴とする請求項４に記載のサスペンション装置。
【請求項６】
前記ラバーシートは、
前記取付部に嵌合され、前記コイルスプリングを支持する本体部と、
前記本体部の側面からそれぞれ径方向に向かって突出するように形成され、前記スプリングガイドに当接して前記本体部と前記取付部との間への異物の侵入を防止するリップと、
前記リップに形成され複数の前記係止片の少なくとも一つに係合する切欠きと、を備えることを特徴とする請求項４または５に記載のサスペンション装置。
【請求項７】
前記円弧溝は、周方向の中央部に向かって深さが深くなるように形成されるとともに、前記周方向の中央部が前記車輪側に位置するように形成されることを特徴とする請求項４から６のいずれか一項に記載のサスペンション装置。
【請求項８】
前記ラバーシートは、
前記取付部に嵌合され、前記コイルスプリングを支持する本体部と、
前記本体部に溝状に形成され前記コイルスプリングが着座する着座部と、
前記本体部の外周から径方向外側に突出するように形成され、前記着座部における前記コイルスプリングの末端部が着座する位置での前記本体部の変形を規制する変形規制部と、を備え、
複数の前記係止片の少なくとも一つは、前記取付部に前記ラバーシートが嵌合した状態で、前記変形規制部に隣接する位置に設けられることを特徴とする請求項４から７のいずれか一項に記載のサスペンション装置。
【発明の詳細な説明】
【技術分野】
【０００１】
本発明は、スプリングガイド及びサスペンション装置に関する。
【背景技術】
【０００２】
特許文献１には、ショックアブソーバに外装されたコイルスプリングと、このコイルスプリングの下端部分を支持し且つショックアブソーバの途中部に固定されたスプリング受け部材と、このスプリング受け部材とコイルスプリングの下端部分との間に介設されたスプリングラバーシートと、を備えたサスペンションが開示されている。
【０００３】
特許文献１に記載されたサスペンションでは、スプリング受け部材の円環部にスプリングラバーシートを位置決めするための２つの位置決め穴が設けられている。
【０００４】
また、スプリングラバーシートは、略Ｃ字状に形成され、コイルスプリングの下端部分が始端部から終端部まで周方向に亙って着座可能な着座部が形成されている。この着座部の下部には、始端部の近傍部分と終端部の近傍部分においてスプリングラバーシートをスプリング受け部材の円環部に対して位置決めするための２つの位置決め突起部が設けられている。
【０００５】
特許文献１に記載されたサスペンションでは、スプリング受け部材の位置決め穴とスプリングラバーシートの突起部とが嵌合することで、スプリング受け部材に対してスプリングラバーシートが位置決めされる。
【先行技術文献】
【特許文献】
【０００６】
【特許文献１】特開２０１２−２１９８２５号公報
【発明の概要】
【発明が解決しようとする課題】
【０００７】
コイルスプリングが収縮するときには、コイルスプリングの下端部に径方向外側に向かって応力が作用する。スプリングラバーシートは略Ｃ字状（円弧状）に形成されているため剛性が低い。このため、コイルスプリングの下端部から径方向外側に向かって応力が作用すると、スプリングラバーシートの周方向端部が径方向外側に向かって変形するおそれがあった。このとき、上述の位置決め用の突起ではスプリングラバーシートの変形を確実に抑えることは困難であった。
【０００８】
本発明は、このような技術的課題に鑑みてなされたもので、円弧状に形成されたラバーシートの径方向外側への変形を規制できるスプリングガイド及びサスペンション装置を提供することを目的とする。
【課題を解決するための手段】
【０００９】
第１の発明は、スプリングガイドは、窪むように形成されラバーシートが嵌合する取付部と、取付部の外周に起立するように形成された複数の係止片と、を備え、取付部は、ラバーシートが嵌合する円弧溝を有し、係止片は、円弧溝の側壁の底面からの高さよりも高くなるように形成されるとともに、取付部にラバーシートが嵌合した状態で、ラバーシートの径方向外側への変形を規制する位置に設けられることを特徴とする。
【００１０】
第１の発明では、ラバーシートは、径方向外側に向かって変形しようとしてもスプリングガイドの係止片に当接する。
【００１１】
第２の発明は、円弧溝は、周方向の中央部に向かって深さが深くなるように形成され、複数の係止片の少なくとも一つは、円弧溝の外周側であって溝の深さが浅くなる位置に形成されることを特徴とする。
第３の発明は、円弧溝は、周方向の中央部に向かって深さが深くなるように形成され、複数の係止片の少なくとも一つは、取付部にラバーシートが嵌合した状態で、円弧溝の最も深くなる位置に設けられることを特徴とする。
【００１２】
第３の発明では、ラバーシートの中央部が径方向外側に向かって変形した場合に、複数の係止片の少なくとも一つがラバーシートの周方向中央部と当接する。これにより、ラバーシートの周方向中央部の変形を規制できる。
【００１３】
第４の発明は、サスペンション装置が、第１、第２及び第３の発明のスプリングガイドと、車体と車輪との間に設けられ、外周面に前記スプリングガイドが取り付けられるショックアブソーバと、ショックアブソーバのロッドの先端に取り付けられるアッパーマウントと、スプリングガイドとアッパーマウントとの間に設けられるコイルスプリングと、スプリングガイドとコイルスプリングとの間に設けられる円弧状のラバーシートと、を備えることを特徴とする。
【００１４】
第４の発明では、第１、第２及び第３の発明のスプリングガイドはサスペンション装置に適用することができる。
【００１５】
第５の発明は、ラバーシートは、取付部に嵌合され、コイルスプリングを支持する本体部と、本体部の外周に形成され複数の係止片の少なくとも一つを覆ってかつ当該係止片と係合する覆い部と、を備えることを特徴とする。
【００１６】
第５の発明では、ラバーシートは、複数の係止片の少なくとも一つを覆う覆い部が複数の係止片の少なくとも一つと係合する。これにより、スプリングガイドとラバーシートとの位置決めをすることができる。
【００１７】
第６の発明は、ラバーシートは、取付部に嵌合され、コイルスプリングを支持する本体部と、本体部の側面からそれぞれ径方向に向かって突出するように形成され、スプリングガイドに当接して本体部と取付部との間への異物の侵入を防止するリップと、リップに形成され複数の係止片の少なくとも一つに係合する切欠きと、を備えることを特徴とする。
【００１８】
第６の発明では、リップがスプリングガイドに当接して本体部と取付部との間への異物の侵入を防止する。また、係止片の少なくとも一つがリップに形成された切欠きと係合することにより、スプリングガイドとラバーシートとの位置決めをすることができる。
【００１９】
第７の発明は、円弧溝は、周方向の中央部に向かって深さが深くなるように形成されるとともに、周方向の中央部が車輪側に位置するように形成されることを特徴とする。
【００２０】
第７の発明では、円弧溝の深さが最も深くなる中央部が車輪側に位置するように形成される。サスペンション装置では、車輪側に大きな荷重が作用するので、溝の最も深くなる中央部で大きな荷重を受けることができる。これより、ラバーシートやコイルスプリングをスプリングガイドによって確実に支持できる。
【００２１】
第８の発明は、ラバーシートは、取付部に嵌合され、コイルスプリングを支持する本体部と、本体部に溝状に形成されコイルスプリングが着座する着座部と、本体部の外周から径方向外側に突出するように形成され、着座部におけるコイルスプリングの末端部が着座する位置での本体部の変形を規制する変形規制部と、を備え、複数の係止片の少なくとも一つは、取付部にラバーシートが嵌合した状態で、変形規制部に隣接する位置に設けられることを特徴とする。
【発明の効果】
【００２３】
本発明によれば、円弧状に形成されたラバーシートの径方向外側への変形を規制できる。
【図面の簡単な説明】
【００２４】
【図１】本発明の実施形態に係るサスペンション装置の部分断面図である。
【図２】本発明の実施形態に係るサスペンション装置の部分斜視図である。
【図３】本発明の実施形態に係るスプリングガイドの斜視図である。
【図４】本発明の実施形態に係るスプリングガイドの平面図である。
【図５】本発明の実施形態に係るスプリングガイドの着座面の深さの変化を示す図である。
【図６】本発明の実施形態に係るラバーシートの斜視図である。
【図７】本発明の実施形態に係るラバーシートの平面図である。
【図８】本発明の実施形態に係るラバーシートがスプリングガイドに取り付けられた状態を示す図である。
【図９】図８のＩ−Ｉ線に沿う部分断面図である。
【図１０】図８のＩＩ−ＩＩ線に沿う部分断面図である。
【発明を実施するための形態】
【００２５】
以下、添付図面を参照しながら本発明の実施形態に係るラバーシート１０、及びサスペンション装置１００について説明する。
【００２６】
まず、図１を参照して、本発明の実施形態に係るラバーシート１０が組み込まれるサスペンション装置１００について説明する。
【００２７】
サスペンション装置１００は、自動車（図示せず）に取り付けられ、車輪（図示せず）を位置決めするとともに減衰力を発生させて車両走行中に路面から受ける衝撃や振動を吸収して車体を安定的に懸架する装置である。
【００２８】
サスペンション装置１００は、車体と車輪との間に設けられるストラット式のショックアブソーバ１と、ショックアブソーバ１のピストンロッド１ａの先端に取り付けられるアッパーマウント２と、ショックアブソーバ１のシリンダ１ｂの外周面に取り付けられるスプリングガイド３と、スプリングガイド３とアッパーマウント２との間に設けられるコイルスプリング４と、ピストンロッド１ａに嵌装されショックアブソーバ１の縮み側のストロークを規制するバンプストッパ５と、シリンダ１ｂのピストンロッド１ａ側の端部に嵌装されるキャップ部材としてのバンプキャップ６と、ピストンロッド１ａを保護する筒状のカバー部材としてのダストブーツ７と、を備える。
【００２９】
シリンダ１ｂのピストンロッド１ａと反対側の端部には、車輪を保持するハブキャリア（図示せず）とショックアブソーバ１とを連結するためのブラケット１ｃが設けられる。ショックアブソーバ１は、アッパーマウント２により車体と連結されるとともに、ブラケット１ｃによりハブキャリアと連結されて車両に組み付けられる。このように構成されたショックアブソーバ１は、ピストンロッド１ａがシリンダ１ｂに対して軸方向（図１の上下方向）に移動したときに、減衰力が発生するように構成されている。サスペンション装置１００は、このショックアブソーバ１の減衰力によって車体の振動を素早く減衰させる。
【００３０】
コイルスプリング４は、アッパーマウント２とスプリングガイド３との間に圧縮状態で挟持され、ショックアブソーバ１を伸長方向に付勢する。アッパーマウント２とコイルスプリング４との間にはアッパー側ラバーシート８が設けられる。これにより、アッパーマウント２とコイルスプリング４とが直接当接しないようになっている。スプリングガイド３とコイルスプリング４との間には円弧状のラバーシート１０が設けられる。これにより、スプリングガイド３とコイルスプリング４とが直接当接しないようになっている。
【００３１】
次に、図１〜図４を参照して、スプリングガイド３について説明する。
【００３２】
スプリングガイド３は、コイルスプリング４を支持するためにシリンダ１ｂの外周に固定される金属製の皿状の部材である。スプリングガイド３は、シリンダ１ｂを挿入するための開口部３０と、アッパーマウント２側に突出し開口部３０を囲むように形成される突出部３１と、突出部３１を囲むように形成されラバーシート１０が嵌合する円弧溝３８を有する円環状の取付部３２と、取付部３２の径方向外側に形成される円環状の外縁部３３と、外縁部３３からアッパーマウント２側に向かって延び、外縁部３３を囲むように形成された円環状の支持壁３４と、を備える。
【００３３】
図１及び図４に示すように、スプリングガイド３をシリンダ１ｂの外周に固定したときに、開口部３０は、スプリングガイド３の中心から車体側に偏心した位置になるように形成される。スプリングガイド３は、開口部３０がシリンダ１ｂの外周に溶接固定されることで、シリンダ１ｂの外周に固定される。開口部３０には、複数の切欠き３０ａが設けられる。切欠き３０ａは、スプリングガイド３に水などが溜まった際に水抜きとして機能する。
【００３４】
図１及び図３に示すように、突出部３１は、アッパーマウント２側（図１における上側）に突出するように形成される。突出部３１は、スプリングガイド３をシリンダ１ｂの外周に取り付けた際に、周方向の両端部が車体側に位置するような円弧状に形成される。
【００３５】
取付部３２は、外縁部３３に対して窪むようにして円環状に形成される。取付部３２は、ラバーシート１０が嵌合する円弧溝３８を備える。円弧溝３８は、突出部３１及び外縁部３３の間で円弧状の溝として形成される。図４、図５に示すように、円弧溝３８は、車輪側に位置する周方向の中央部（ｂ位置）に向かって溝の深さが深くなる、言い換えると、車体側に位置する周方向両端部（ａ位置及びｃ位置）に向かうにつれて溝の深さが浅くなるように形成される。
【００３６】
円弧溝３８には、複数の係合孔３９が形成される。係合孔３９には、ラバーシート１０の底面に形成された図示しない突起が係合する。このラバーシート１０の突起と係合孔３９とが係合することで、スプリングガイド３に対するラバーシート１０のずれが防止される。
【００３７】
円弧溝３８は、外周に起立して形成された二つの第一係止片３５、及び第二係止片３６をさらに備える。第一係止片３５及び第二係止片３６は、スプリングガイド３にＵ字型のスリットを形成し、このスリットに囲まれた部分をアッパーマウント側に折り曲げることにより形成される。第一係止片３５及び第二係止片３６は、外縁部３３よりもアッパーマウント２側に突出するように、つまり、円弧溝３８の底面からの高さが側壁よりも高くなるように形成される。二つの第一係止片３５のそれぞれは、円弧溝３８に円弧状のラバーシート１０が嵌合した状態で、ラバーシート１０の周方向端部付近と対向する位置に形成される。第二係止片３６は、円弧溝３８に円弧状のラバーシート１０が嵌合した状態で、ラバーシート１０の周方向の中央部１１ｂ付近と対向する位置に形成される。これにより、円弧溝３８にラバーシート１０が嵌合した状態では、コイルスプリング４の伸縮にともなってラバーシート１０に径方向外側の荷重が作用しても、ラバーシート１０の外周は第一係止片３５及び第二係止片３６に当接して径方向外側への移動が規制される。このように、第一係止片３５及び第二係止片３６によってラバーシート１０の径方向外側へのずれが防止される。なお、円弧溝３８の深さが浅くなる部分では、円弧溝３８の側壁によってラバーシート１０の変形を規制することが難しい。したがって、円弧溝３８の深さが浅くなる周方向端部に第一係止片３５が形成されることで、ラバーシートのずれ（変形）を効果的に規制できる。
【００３８】
突出部３１、取付部３２及び外縁部３３には、複数の貫通孔３７が形成される。貫通孔３７は、軽量化のための肉抜きとして機能するとともに、スプリングガイド３に水などが溜まった際に水抜き孔としても機能する。
【００３９】
次に、図２、図６〜図９を参照して、ラバーシート１０について説明する。
【００４０】
ラバーシート１０は、ゴムなどの弾性を有する材料によって形成される。ラバーシート１０は、円弧状に形成されスプリングガイド３の円弧溝３８に嵌合する本体部１１と、本体部１１に溝状に形成されコイルスプリング４が着座する円弧状の着座部１２と、本体部１１の周方向一端部に形成され、コイルスプリング４の末端部４ａの端面と当接してコイルスプリング４の移動を規制するストッパ部１３と、コイルスプリング４の末端部４ａを支持する本体部１１の端部１１ａにおいて、本体部１１の外周から径方向外側に突出するように形成された変形規制部１４と、を備える。
【００４１】
図９に示すように、着座部１２は、その断面がコイルスプリング４の断面形状に沿うように湾曲して形成される。
【００４２】
ラバーシート１０は、変形規制部１４が形成されていない部分では、本体部１１がスプリングガイド３の円弧溝３８に嵌合し、変形規制部１４が形成されている部分では、本体部１１及び変形規制部１４がスプリングガイド３の円弧溝３８に嵌合する。ラバーシート１０とスプリングガイド３の円弧溝３８が嵌合した状態では、ラバーシート１０の本体部１１及び変形規制部１４は、円弧溝３８の底面と当接する。なお、本体部１１のみを円弧溝３８に嵌合させ、変形規制部１４を円弧溝３８に嵌合させずに外縁部３３上に当接させるような形状としてもよい。
【００４３】
ラバーシート１０は、内周及び外周に、内周側リップ１５及び外周側リップ１６をさらに備える。内周側リップ１５は、本体部１１の内周側の側面から径方向内側に突出するように形成される。外周側リップ１６は、本体部１１の外周側の側面及び変形規制部１４の外周から突出するように形成される。内周側リップ１５は、本体部１１の内周側の全周にわたって設けられる。ラバーシート１０がスプリングガイド３の円弧溝３８に嵌合した状態では、内周側リップ１５は突出部３１上を覆うように当接し、外周側リップ１６は外縁部３３上を覆うように当接する。これにより、コイルスプリング４が伸縮してラバーシート１０の本体部１１とスプリングガイド３の円弧溝３８との間に隙間が生じても、内周側リップ１５及び外周側リップ１６はそれぞれスプリングガイド３の突出部３１及び外縁部３３上を覆うように当接しているので、ラバーシート１０の本体部１１とスプリングガイド３の円弧溝３８との間に異物などが侵入することを防止できる。なお、内周側リップ１５及び外周側リップ１６を突出部３１及び外縁部３３側に傾斜させて形成することで、内周側リップ１５及び外周側リップ１６は突出部３１及び外縁部３３に押し付けられて当接する。これにより、ラバーシート１０の本体部１１が変形しても、内周側リップ１５と突出部３１の間、及び外周側リップ１６と外縁部３３の間に隙間が生じにくくなり、ラバーシート１０の本体部１１とスプリングガイド３の円弧溝３８との間に異物などが侵入することをより一層防止できる。
【００４４】
図９、図１０に示すように、ラバーシート１０は、本体部１１の内周側に立設された立ち上がり部１９をさらに備える。立ち上がり部１９は、本体部１１の内周側リップ１５が設けられた箇所からアッパーマウント２側に向かって立ち上がるように形成される。立ち上がり部１９は、本体部１１の内周の全周にわたって設けられる。
【００４５】
外周側リップ１６には、スプリングガイド３の第一係止片３５と対向する位置に切欠き１８が形成される。また、本体部１１の外周には、スプリングガイド３の第二係止片３６と対向する位置に、第二係止片３６を覆うような覆い部１７が外周側リップ１６と一体的に形成される。覆い部１７を設けることで、第二係止片３６を伝ってラバーシート１０の本体部１１とスプリングガイド３の円弧溝３８との間に異物などが侵入することを防止できる。なお、切欠き１８に代えて、外周側リップ１６の第一係止片３５と対向する位置に、第一係止片３５を覆うような覆い部を設けてもよい。また、外周側リップ１６は設けなくてもよい。さらに、第一係止片３５及び第二係止片３６のいずれかを覆う覆い部が、第一係止片３５及び第二係止片３６のいずれかと係合するようにしてもよい。
【００４６】
ラバーシート１０は、円弧溝３８と当接する面に形成された図示しない突起とスプリングガイド３の係合孔３９とが係合し、切欠き１８及び覆い部１７のそれぞれがスプリングガイド３の第一係止片３５及び第二係止片３６と係合することによってスプリングガイド３に対する位置決めがされ、円弧溝３８に嵌合される。
【００４７】
一般的にサスペンション装置では、車体側と比較して車輪側に大きな荷重が作用する。このような大きな荷重を受ける位置にコイルスプリング４の末端部４ａを配置すると、コイルスプリング４の末端部４ａを支持するラバーシート１０の端部１１ａやスプリングガイド３に局所的に大きな荷重が作用してしまう。このため、サスペンション装置１００では、コイルスプリング４の末端部４ａ以外の部分で上述のような大きな荷重を受けるように、末端部４ａが車輪側から離れた位置（車体の内側）に配置される(図２参照)。このようにコイルスプリング４を配置することにより、車輪側ではコイルスプリング４の線材の長い領域（末端部４ａ以外の部分）で大きな荷重を受けることができ、ラバーシート１０やスプリングガイド３には荷重が分散されて作用する。したがって、ラバーシート１０やスプリングガイド３には、局所的に大きな荷重が作用することはないので、ラバーシート１０やスプリングガイド３が損傷することを防止できる。さらに、末端部４ａにおいては、コイルスプリング４の末端部４ａを介してラバーシート１０の端部１１ａに作用する荷重が低減されるので、ラバーシート１０の端部１１ａの変形が起こりにくくなる。
【００４８】
次に、スプリングガイド３の第一係止片３５及び第二係止片３６の作用について説明する。
【００４９】
コイルスプリング４が収縮するときには、ラバーシート１０には径方向外側に向かって大きな荷重が作用する。上述のように、ラバーシート１０は円弧状に形成されているため剛性が低い。このため、コイルスプリング４の下端部から径方向外側に向かって荷重が作用すると、ラバーシート１０の周方向の端部１１ａ、１１ｃは径方向外側に向かって変形しようとする。しかしながら、ラバーシート１０の周方向の端部１１ａ、１１ｃは、径方向外側に向かって変形しようとしても、スプリングガイド３の第一係止片３５に当接するので、径方向外側への変形が規制される。さらに、ラバーシート１０の周方向中央部１１ｂが径方向外側への変形しようとしても、スプリングガイド３の第二係止片３６に当接するので、径方向外側への変形が規制される。
【００５０】
次に、ラバーシート１０の変形規制部１４の作用について説明する。
【００５１】
車両が走行中に路面の凹凸などによって車輪が上下に振動すると、サスペンション装置１００のショックアブソーバ１及びコイルスプリング４は、車輪の上下動に伴って伸縮する。コイルスプリング４が収縮するときには、コイルスプリング４の末端部４ａに径方向外側に向かって大きな荷重が作用する。コイルスプリング４の末端部４ａに大きな荷重が作用すると、ラバーシート１０の端部１１ａには、ラバーシート１０を径方向外側に向かって捻じるように変形させようとする応力が作用する。変形規制部１４は、本体部１１の外周から径方向外側に突出するように形成されてスプリングガイド３の円弧溝３８に当接している。これにより、変形規制部１４は、コイルスプリング４からの荷重に対抗して、ラバーシート１０が径方向外側に捻じれるように変形することを規制する。
【００５２】
また、コイルスプリング４の伸縮にともなってラバーシート１０に径方向の荷重が作用すると、ラバーシート１０の本体部１１とスプリングガイド３の円弧溝３８との間に摩擦抵抗が生じる。さらに、ラバーシート１０の変形規制部１４がスプリングガイド３の円弧溝３８と当接しているため、ラバーシート１０の本体部１１とスプリングガイド３の円弧溝３８との摩擦抵抗に加えて、変形規制部１４と円弧溝３８との間にも摩擦抵抗が生じることになる。したがって、ラバーシート１０に径方向の荷重が作用しても、ラバーシート１０がスプリングガイド３上でずれることをより一層防止できる。
【００５３】
スプリングガイド３は、上述のように、開口部３０がスプリングガイド３の中心から車体側に偏心した位置になるように形成されている。また、図１に示すように、スプリングガイド３は、車体側が車輪側に比べて低くなるように取り付けられるので、車体側に水抜き用の切欠き３０ａを設ける必要がある。このように、スプリングガイド３の取付部３２は車体側において径方向の幅を確保することが難しく、円弧溝３８の深さを深くすることが容易にはできない。また、上述のように、コイルスプリング４の末端部４ａは、車体側（車体の内側）に配置されるため、ラバーシート１０が円弧溝３８に嵌合した状態では、コイルスプリング４の末端部４ａを支持するラバーシート１０の周方向の端部１１ａは、スプリングガイド３の円弧溝３８の溝の深さが浅くなる端部（図４のｃ位置）付近に位置することになる。このように、ラバーシート１０の端部１１ａが円弧溝３８の深さが浅い位置に位置すると、円弧溝３８の側壁によってラバーシート１０の端部１１ａを支持することができず、端部１１ａは径方向外側に向かって捻じれるように変形しやすくなる。しかしながら、ラバーシート１０は、上述のように、変形規制部１４が本体部１１の外周から径方向外側に突出するように形成されスプリングガイド３の円弧溝３８に当接するので、コイルスプリング４からの荷重に対抗して、ラバーシート１０が径方向外側に捻じれるように変形することを規制する。
【００５４】
また、このような構成では、コイルスプリング４の末端部４ａから荷重を受けたときにラバーシート１０の端部は、円弧溝３８から離脱しやすくなる。しかしながら、上述のように、ラバーシート１０の変形規制部１４がスプリングガイド３の円弧溝３８に当接し、これらの間には摩擦抵抗が生じるため、ラバーシート１０の端部１１ａがずれて円弧溝３８から離脱することを防止できる。
【００５５】
次に、ラバーシート１０の立ち上がり部１９の作用について説明する。
【００５６】
車両が走行中に路面の凹凸などによって車輪が上下に振動すると、サスペンション装置１００のショックアブソーバ１及びコイルスプリング４は、車輪の上下動に伴って伸縮する。このとき、コイルスプリング４は、荷重のかかっていない方向に逃げようとして径方向にずれようとする。このとき、コイルスプリング４は、その下端部がラバーシート１０の着座部１２に着座することで、本体部１１を介してスプリングガイド３の突出部３１によって径方向のずれが規制される。しかしながら、円弧溝３８の深さを十分に確保できない場合、言い換えると突出部３１の高さを十分に確保できない場合には、突出部３１によってコイルスプリング４の径方向のずれを規制することができない。ラバーシート１０は、上述のように、本体部１１の内周側に立設された立ち上がり部１９を備えている。これにより、突出部３１の高さを十分に確保できない場合においても、立ち上がり部１９によってコイルスプリング４の内周を支持し、コイルスプリング４の径方向のずれを規制できる。
【００５７】
以上の実施形態によれば、以下に示す効果を奏する。
【００５８】
スプリングガイド３には、取付部３２にラバーシート１０が嵌合した状態で、ラバーシート１０の周方向の端部１１ａ、１１ｃの径方向外側への変形を規制する位置に設けられる第一係止片３５が形成される。これにより、コイルスプリング４が収縮することで、円弧状のラバーシート１０の周方向の端部１１ａ、１１ｃに径方向外側に向かって大きな荷重が作用しても、周方向の端部１１ａ、１１ｃがスプリングガイド３の第一係止片３５に当接することで径方向外側への変形が規制される。さらに、ラバーシート１０の周方向中央部１１ｂが径方向外側への変形しようとしても、スプリングガイド３の第二係止片３６に当接するので、径方向外側への変形が規制される。
【００５９】
以下、本発明の実施形態の構成、作用、及び効果をまとめて説明する。
【００６０】
車体を弾性支持するコイルスプリング４を円弧状に形成されるラバーシート１０を介して支持するスプリングガイド３であって、スプリングガイド３は、窪むように形成されラバーシート１０が嵌合する取付部と、取付部３２の外周に起立するように形成された複数の係止片（第一係止片３５及び第二係止片３６）と、を備え、複数の係止片（第一係止片３５及び第二係止片３６）の少なくとも一つは、取付部３２にラバーシート１０が嵌合した状態で、ラバーシート１０の周方向端部１１ａ、１１ｃの径方向外側への変形を規制する位置に設けられることを特徴とする。
【００６１】
この構成では、ラバーシート１０の周方向端部１１ａ、１１ｃは、径方向外側に向かって変形しようとしてもスプリングガイド３の係止片（第一係止片３５）に当接する。したがって、ラバーシート１０の周方向端部１１ａ、１１ｃの径方向外側への変形を規制できる。
【００６２】
また、複数の係止片（第一係止片３５及び第二係止片３６）の少なくとも他の一つは、取付部３２にラバーシート１０が嵌合した状態で、ラバーシート１０の周方向中央部１１ｂと対向する位置に設けられることを特徴とする。
【００６３】
この構成では、ラバーシート１０の中央部１１ｂが径方向外側に向かって変形した場合に、複数の係止片（第一係止片３５及び第二係止片３６）の少なくとも一つがラバーシート１０の中央部１１ｂと当接する。これにより、ラバーシートの中央部１１ｂの変形を規制できる。
【００６４】
また、サスペンション装置１００が、スプリングガイド３と、車体と車輪との間に設けられ、外周面にスプリングガイド３が取り付けられるショックアブソーバ１と、ショックアブソーバ１のロッド（ピストンロッド１ａ）の先端に取り付けられるアッパーマウント２と、スプリングガイド３とアッパーマウント２との間に設けられるコイルスプリング４と、スプリングガイド３とコイルスプリング４との間に設けられる円弧状のラバーシート１０と、を備えることを特徴とする。
【００６５】
この構成では、スプリングガイド３をサスペンション装置１００に適用することができる。
【００６６】
また、ラバーシート１０は、取付部３２に嵌合され、コイルスプリング４を支持する本体部１１と、本体部１１の外周に形成され、複数の係止片（第一係止片３５及び第二係止片３６）の少なくとも一つを覆ってかつ当該係止片（第一係止片３５及び第二係止片３６）と係合する覆い部１７と、を備えることを特徴とする。
【００６７】
この構成では、ラバーシート１０は、複数の係止片（第一係止片３５及び第二係止片３６）の少なくとも一つを覆う覆い部１７が複数の係止片（第一係止片３５及び第二係止片３６）の少なくとも一つと係合する。これにより、スプリングガイド３とラバーシート１０との位置決めをすることができる。
【００６８】
また、ラバーシート１０は、取付部３２に嵌合され、コイルスプリング４を支持する本体部１１と、本体部１１の側面からそれぞれ径方向に向かって突出するように形成され、スプリングガイド３に当接して本体部１１と取付部３２との間への異物の侵入を防止するリップ（外周側リップ１６）と、リップ（外周側リップ１６）に形成され複数の係止片（第一係止片３５及び第二係止片３６）の少なくとも一つに係合する切欠き１８と、を備えることを特徴とする。
【００６９】
この構成では、リップ（外周側リップ１６）がスプリングガイド３に当接して本体部１１と取付部３２との間への異物の侵入を防止する。また、係止片の少なくとも一つ（第一係止片３５及び第二係止片３６）がリップ（外周側リップ１６）に形成された切欠き１８と係合することにより、スプリングガイド３とラバーシート１０との位置決めをすることができる。
【００７０】
また、取付部３２は、ラバーシート１０が嵌合する円弧溝３８を有し、円弧溝３８は、周方向の中央部に向かって深さが深くなるように形成されるとともに、周方向の中央部が車輪側に位置するように形成されることを特徴とする。
【００７１】
この構成では、円弧溝３８の深さが最も深くなる中央部が車輪側に位置するように形成される。サスペンション装置１００では、車輪側に大きな荷重が作用するので、溝の最も深くなる中央部で大きな荷重を受けることができる。これより、ラバーシート１０やコイルスプリング４をスプリングガイド３によって確実に支持できる。
【００７２】
また、複数の係止片（第一係止片３５及び第二係止片３６）の少なくとも一つは、円弧溝３８の周方向端部の外周側に形成されることを特徴とする。
【００７３】
この構成では、円弧溝３８の深さが浅くなる周方向端部に係止片（第一係止片３５）が形成される。円弧溝３８の深さが浅くなる部分では、円弧溝３８の側壁によってラバーシート１０の変形を規制することが難しい。したがって、円弧溝３８の深さが浅くなる周方向端部に係止片（第一係止片３５）が形成されることで、ラバーシート１０の変形を効果的に規制できる。
【００７４】
以上、本発明の実施形態について説明したが、上記実施形態は本発明の適用例の一部を示したものに過ぎず、本発明の技術的範囲を上記実施形態の具体例に限定する趣旨ではない。
【００７５】
例えば、内周側リップ１５及び外周側リップ１６は、隙間の生じやすいところのみに設けてもよい。さらに、変形規制部１４は、円弧溝３８に当接可能であれば円弧溝３８との間に一定の隙間を設けてもよい。この場合には、ラバーシート１０の変形をある程度許容することになる。さらに、円弧溝３８を、円環状の溝として構成してもよい。また、変形規制部１４に補強材などを埋設してもよい。
【符号の説明】
【００７６】
１・・・ショックアブソーバ、１ａ・・・ピストンロッド（ロッド）、２・・・アッパーマウント、３・・・スプリングガイド、４・・・コイルスプリング、４ａ・・・末端部、１０・・・ラバーシート、１１・・・本体部、１１ａ、１１ｃ・・・端部、１１ｂ・・・中央部、１２・・・着座部、１３・・・ストッパ部、１４・・・変形規制部、１５・・・内周側リップ、１６・・・外周側リップ、１９・・・立ち上がり部、３０・・・開口部、３１・・・突出部、３２・・・取付部、３５・・・第一係止片、３６・・・第二係止片、３８・・・円弧溝、１００・・・サスペンション装置
【図１】
0006463200.tif 000002
【図２】
0006463200.tif 000003
【図３】
0006463200.tif 000004
【図４】
0006463200.tif 000005
【図５】
0006463200.tif 000006
【図６】
0006463200.tif 000007
【図７】
0006463200.tif 000008
【図８】
0006463200.tif 000009
【図９】
0006463200.tif 000010
【図１０】
0006463200.tif 000011